(57)【要約】【課題】手軽に布団の殺菌を行うことができる上に、常時布団の下に引いておける布団乾燥装置を提供することにある。【解決手段】導光材からなる可撓性のシート体１は長手方向の一端部に、側断面が略字状の凹部２を短手方向の全長に亘って形成しており、その凹部２の内にシート体１の短手方向に所定間隔で紫外光発光ダイオード３を複数個配置し、また凹部２を設けたシート体１の端部に位置する両側シート面に反射板４を取り付けてある。またシート体１は内部に導光した紫外光を両側のシート面から出射できるように内部中央に拡散反射シートをシート面に並行するように設けたり、各シート面にエッジライト効果を得るための溝など形成してある。紫外光発光ダイオード３からの紫外光は凹部２の内面からシート体１内に入射してシート体１に導光されて両側シート面から出射し、シート面に接している布団Ｆ１，Ｆ２の全面を紫外光で殺菌する。【選択図】図１
2007075149.tif 000002
【特許請求の範囲】
【請求項１】
布団にシート面を当接させるシート体と、該シート体に具備され、前記布団に当接するシート面から紫外光を出射させる紫外光発光ダイオードとからなることを特徴とする布団殺菌装置。
【請求項２】
前記シート体を導光材で形成し、該シート体の端面から該シート体内に入射させてシート体内を導光させた前記紫外光発光ダイオードの紫外光を前記シート面から出射させることを特徴とする請求項１記載の布団殺菌装置。
【請求項３】
前記シート体のシート面に前記紫外光発光ダイオードを多数個点在させていることを特徴とする請求項１記載の布団殺菌装置。
【請求項４】
前記シート体が、温風布団乾燥機の通風用袋の袋材を構成することを特徴とする請求項１乃至３の何れか記載の布団殺菌装置。
【発明の詳細な説明】
【技術分野】
【０００１】
本発明は、布団殺菌装置に関するものである。
【背景技術】
【０００２】
布団を清潔に保つために、温風を利用した布団乾燥機が従来から提供されている。この温風を利用した布団乾燥機は、敷き布団と掛け布団との間に温風を送り込んで、布団を乾燥させるとともに、温風の熱でダニを殺虫するものであった。しかし温風だけでは、殺菌、滅菌等は行えなかった。そのための布団殺菌装置が希求されている。
【０００３】
ところで、一般的な殺菌装置には、紫外線ランプを利用し装置が提供されているが、このような殺菌装置のような紫外線ランプを利用して殺菌装置を使用した場合、布団の中に入れるのはランプの過熱や、ランプの破損などの防止などを考慮しなければならない上に嵩高となるため実用できではならなかった。
【０００４】
また紫外光を発光する発光ダイオードを利用して殺菌などを行う装置として光触媒装置が提供されている（特許文献１）。
【特許文献１】特開平９−９４０号公報（段落番号００２６）
【発明の開示】
【発明が解決しようとする課題】
【０００５】
上述の特許文献１に開示されている光触媒装置は、紫外光発光ダイオードが発光する紫外光を殺菌に直接利用するのではなく、光触媒に紫外光を照射して活性化して、光触媒の酸化触媒作用により殺菌を行うものである。そのため紫外光発光ダイオードからの紫外光を光触媒面に広く照射して活性化を図るためには、発光ダイオードの発光面と、光触媒の面とを離す必要があり、そのため光触媒を担持する基体と紫外光発光ダイオードとの空間保持の必要性から装置組込みが主体となり、それ自体で独立した殺菌装置を構成するものはなかった。また直接紫外光発光ダイオードの紫外光を直接殺菌に使用するものではないので、効率的な課題もある。
【０００６】
本発明は、上述の点に鑑みてなされたもので、その目的とするところは、手軽に布団の殺菌を行うことができる上に、常時布団の下に引いておける布団殺菌装置を提供することにある。
【課題を解決するための手段】
【０００７】
上述の目的を達成するために請求項１の発明では、布団にシート面を当接させるシート体と、該シート体に具備され、前記布団に当接するシート面から紫外光を出射させる紫外光発光ダイオードとからなることを特徴とする。
【０００８】
請求項１の発明によれば、布団にシート体のシート面を当接させるだけで紫外光による布団の殺菌が手軽に行えるもので、布団の下にシート体を常時引いておき、必要に応じて紫外光発光ダイオードを点灯させて殺菌を行うだけで、布団を常に清潔に保つことが可能になる。
【０００９】
請求項２の発明では、前記シート体を導光材で形成し、該シート体の端面から該シート体内に入射させてシート体内を導光させた前記紫外光発光ダイオードの紫外光を前記シート面から出射させることを特徴とする。
【００１０】
請求項２の発明によれば、数少ない発光ダイオードでシート体のシート面全体から紫外光を出射させることができる。
【００１１】
請求項３の発明では、請求項１の発明において。前記シート体のシート面に紫外光発光ダイオードを多数個点在させていることを特徴とする。
【００１２】
請求項３の発明によれば、紫外光発光ダイオードが発光する紫外光を減衰することなく布団に対して照射させることができ、そのため殺菌の効率が高くなる。
【００１３】
請求項４の発明では、請求項１乃至３の何れかの発明において前記シート体が、温風布団乾燥機の通風用袋の袋材を構成することを特徴とする。
【００１４】
請求項４の発明によれば、布団の温風乾燥と殺菌とを同時に行うことが可能となる。
【発明の効果】
【００１５】
本発明は、布団にシート体のシート面を当接させるだけで紫外光による布団の殺菌が手軽に行えるもので、布団の下にシート体を常時引いておき、必要に応じて紫外光発光ダイオードを点灯させて殺菌を行うだけで、布団を常に清潔に保つことが可能になるという効果がある。
【発明を実施するための最良の形態】
【００１６】
以下本発明を実施形態により説明する。
【００１７】
（実施形態１）
本実施形態の布団殺菌装置は、図１（ａ）に示すように例えば、シングルサイズの布団に対応するように長さ２ｍ×１ｍの導光材からなる可撓性を有するシート体１と、紫外光発光ダイオード３を主要な構成要素とするものである。そして、シート体１は長手方向の一端部に側断面が略字状の凹部２を短手方向の全長に亘って形成し、その凹部２の内部にシート体１の短手方向に所定間隔で紫外光発光ダイオード３を複数個配置してある。また凹部２を設けたシート体１の端部に位置する両側シート面に反射板４を取り付けてある。更にまたシート体１は内部に導光した紫外光を両側のシート面から出射できるように内部中央に拡散反射シートをシート面に並行するように設けたり、各シート面にエッジライト効果を得るための溝など形成してある。
【００１８】
紫外光発光ダイオード３は、殺菌効果が高い２６０ｎｍ付近（例えば２６０ｎｍ〜２８０ｎｍ）の波長を含む紫外光を発光するもので、シート体１の端部に取り付けられる基板５に実装され、基板５より外部に突出された端子６ａ，６ｂに直流電源７が接続されることで点灯（発光）するようになっている。
【００１９】
而して本実施形態の布団殺菌装置を使用する場合には、図１（ｂ）に示すように敷き布団Ｆ１と掛け布団Ｆ２との間或いは、敷き布団Ｆ２の下側（ベットの場合にはベットの上に相当）にシート体１を重ねてシート面を布団表面に当接させた上で、紫外光発光ダイオード３に直流電源７から電源供給を行って点灯させると、紫外光発光ダイオード３から出射した紫外光は、シート体１の一端部に設けた凹部２の内周面からシート体１内に入射する。そして入射した光の入射角度が臨界角以上の場合にはシート体１の境界面で全反射してシート体１内を導光させて進行することになるが、端部において臨界角以下で入射した紫外光はシート体１の境界面を透過して外部へ出射しようとするが、反射板４で反射されてシート体１内に再び入射してシート体１内を導光により進行してシート体１のシート面から出射する。また臨界角以上で入射した紫外光は、全反射を繰り返してシート体１内を導光により進行することになるが、上述の拡散反射部や、シート体１のシート面でのエッジライト効果により、両側のシート面から出射することになる。この出射した紫外光が敷き布団Ｆ１や掛け布団Ｆ２の全面を照射して殺菌することになる。
【００２０】
尚シート体１の大きさは殺菌対象となる布団のサイズに合わせれば良く、上述の大きさに限定されるものではない。またシート体１に導光した紫外光を外部に出射させるための方法としては、白色のドットパターン等を設けても良い。光源位置から離れていても紫外光の出射量が均一となるように、エッジ効果のための溝の間隔や、ドットパターンの大きさを光源位置からの距離で変えるようにしても良い。
（実施形態２）
実施形態１は導光材からなるシート体１を用いて一端部より紫外光発光ダイオード３の紫外光をシート体１に入射させる構造となっていたが、本実施形態は、図２に示すように可撓性を有するシート体１の両側シート面に多数個の紫外光発光ダイオード３を点在させ、各紫外光発光ダイオード３への電源路をシート体１内又は表面に形成して直流電源を供給する構成としたもので、シート面に点在させた紫外光発光ダイオード３からの紫外光を直接シート面を重ねる布団に照射して殺菌を行うことで、紫外光の減衰もなく効率の良い殺菌が行える。
（実施形態３）
上述の実施形態１，２は共に殺菌だけの単機能であったが、本実施形態は、図３に温風布団乾燥装置１０の通風袋１１の袋材として実施形態１のように紫外光発光ダイオード３の紫外光を入射する導光材からなるシート体或いは紫外光発光ダイオード３をシート面に点在させたシート体を用いて温風布団乾燥装置１０による布団乾燥と同時に殺菌が行える殺菌装置を構成したものである。
【００２１】
而して本実施形態では、図１（ｂ）と同様に敷き布団Ｆ１、掛け布団Ｆ２の間に通風袋１１を入れて温風布団乾燥装置１０から通風チューブ１２を介して温風を通風袋１１に送り、通風袋１１の温風排出孔から温風を噴出させることで布団乾燥を行うとともに、紫外光発光ダイオード３を発光させ、その紫外光による殺菌を行うのである。この場合紫外光の出射面は通風袋１１の表面だけで良いため、袋材として使用するシート体の紫外光を出射面は表面側のみとする。
【図面の簡単な説明】
【００２２】
【図１】（ａ）は実施形態１の一部省略せる破断せる斜視図、（ｂ）は実施形態１の使用状態図である。
【図２】実施形態２の一部省略せる斜視図である。
【図３】実施形態３の概略構成図である。
【符号の説明】
【００２３】
１  シート体
２  凹部
３  紫外光発光ダイオード
４  反射板
５  基板
６ａ、６ｂ  端子
７  直流電源
Ｆ１  敷き布団
Ｆ２  掛け布団
【図１】
2007075149.tif 000003
【図２】
2007075149.tif 000004
【図３】
2007075149.tif 000005